(57)【特許請求の範囲】
【請求項１】
印字用基材と、
前記印字用基材の裏面に剥離可能に配置され、透明性粘着剤層，透明性基材，擬似接着構造及び隠蔽基材が順に積層された隠蔽部と、
を備え、
前記印字用基材は、隠蔽領域を備え、前記隠蔽領域に対応する部分の少なくとも一部に隠蔽層を備えること、及び、
前記印字用基材と前記隠蔽部との間に設けられ、前記隠蔽部を剥離可能にする剥離層を備え、その剥離層は、前記隠蔽層を兼用していること、
を特徴とする隠蔽部付きシート。
【請求項２】
印字用基材と、
前記印字用基材の裏面に剥離可能に配置され、透明性粘着剤層，透明性基材，擬似接着構造及び隠蔽基材が順に積層された隠蔽部と、
を備え、
前記印字用基材は、隠蔽領域を備え、前記隠蔽領域に対応する部分の少なくとも一部に隠蔽層を備えること、及び、
前記印字用基材と前記隠蔽部との間に設けられ、前記隠蔽部を剥離可能にする剥離層を備え、その剥離層と前記印字用基材との間に前記隠蔽層を備えること、
を特徴とする隠蔽部付きシート。
【請求項３】
印字用基材と、
前記印字用基材の裏面に剥離可能に配置され、透明性粘着剤層，透明性基材，擬似接着構造及び隠蔽基材が順に積層された隠蔽部と、
を備え、
前記印字用基材は、隠蔽領域を備え、前記隠蔽領域に対応する部分の少なくとも一部に隠蔽層を備えること、及び、
前記印字用基材と前記隠蔽部との間に設けられ、前記隠蔽部を剥離可能にする剥離シートと、
前記剥離シートと前記印字用基材とを貼り合わせる貼り合わせ層とを備え、
前記貼り合わせ層は、前記隠蔽層を兼用していること、
を特徴とする隠蔽部付きシート。
【請求項４】
印字用基材と、
前記印字用基材の裏面に剥離可能に配置され、透明性粘着剤層，透明性基材，擬似接着構造及び隠蔽基材が順に積層された隠蔽部と、
を備え、
前記印字用基材は、隠蔽領域を備え、前記隠蔽領域に対応する部分の少なくとも一部に隠蔽層を備えること、及び、
前記印字用基材と前記隠蔽部との間に設けられ、前記隠蔽部を剥離可能にする剥離シートを備え、その剥離シートと前記印字用基材との間に前記隠蔽層を備えること、
を特徴とする隠蔽部付きシート。
【請求項５】
請求項３又は請求項４に記載の隠蔽部付きシートにおいて、
前記剥離シートは、前記印字用基材に剥離可能に設けられていること、
を特徴とする隠蔽部付きシート。
【請求項６】
請求項１から請求項５までのいずれか１項に記載の隠蔽部付きシートにおいて、
前記透明性粘着剤層は、その周縁部の一部又は全部に空所部を備えること、
を特徴とする隠蔽部付きシート。
【請求項７】
請求項１から請求項６までのいずれか１項に記載の隠蔽部付きシートにおいて、
前記隠蔽部は、その周縁部の一部又は全部に空所部を備えること、
を特徴とする隠蔽部付きシート。
【請求項８】
請求項１から請求項６までのいずれか１項に記載の隠蔽部付きシートにおいて、
前記印字用基材は、隠蔽領域及び非隠蔽領域を備え、
前記擬似接着構造及び前記隠蔽基材は、前記非隠蔽領域に対応する部分に空所部を備えること、
を特徴とする隠蔽部付きシート。
【請求項９】
請求項１から請求項６までのいずれか１項に記載の隠蔽部付きシートにおいて、
前記印字用基材は、隠蔽領域及び非隠蔽領域を備え、
前記隠蔽部は、前記隠蔽基材側から前記透明性基材を貫通しないように設けられ、前記隠蔽領域と前記非隠蔽領域とを区画するカット線を備えること、
を特徴とする隠蔽部付きシート。
【発明の詳細な説明】
【技術分野】
【０００１】
本発明は、個人情報を保護するのに好適な隠蔽部付きシートに関するものである。
【背景技術】
【０００２】
従来、生命保険会社や損害保険会社などで発行される伝票は、様々な形態がある。
例えば、単なる紙１枚からなるカット紙状の伝票、複数枚の用紙が端部で綴じ合わせられた多ｐｔ（パート）連続帳票などがあり、これらは、レイアウトも異なり、サイズもまさにまちまちである。
さらに言えば、使われ方も、１日に数万枚必要なものもあれば、数枚あれば十分というものまである。
【０００３】
これまでは、様々な形態であっても、保険会社と契約者との間に入っている代理店が手渡しするといった方法で対応していたため、特段問題はなかったものの、個人情報保護が叫ばれる中、印字内容を見られたくない、というニーズが生まれ、ここで様々な形態の伝票があること自体が課題となりつつある。
【０００４】
すなわち、多くの伝票は、もともと個人情報保護を勘案して設計していなかったため、個人情報保護を行うための資材追加は容易ではない。
例えば、印字後に、ある特定部位のみ隠蔽ラベルを貼り込んで個人情報保護を行う場合、レイアウトに合わせて様々な形態のラベルを用意しておく必要がある（例えば、特許文献１）。
一般には、隠蔽ラベルで全面を覆ってしまうと氏名などが見えなくなり、伝票自身を渡すことが困難になってしまうので、特定部位のみを隠蔽することが多い。
【０００５】
しかし、様々な隠蔽ラベルを用意すると、その管理に多くのコストが掛かってしまう。多数のラベルを在庫する費用、選択する時間・費用、ラベリングマシンで作業する時間やその準備時間などである。
【特許文献１】特開２００１−０５４９９２号公報
【発明の開示】
【発明が解決しようとする課題】
【０００６】
本発明の課題は、個人情報の保護を図りつつ、様々な印字レイアウトに柔軟に対応でき、コストも抑えた隠蔽部付きシートを提供することである。
【課題を解決するための手段】
【０００７】
前記課題を解決するために、請求項１の発明は、印字用基材と、前記印字用基材の裏面に剥離可能に配置され、透明性粘着剤層，透明性基材，擬似接着構造及び隠蔽基材が順に積層された隠蔽部と、を備え、前記印字用基材は、隠蔽領域を備え、前記隠蔽領域に対応する部分の少なくとも一部に隠蔽層を備えること、及び、前記印字用基材と前記隠蔽部との間に設けられ、前記隠蔽部を剥離可能にする剥離層を備え、その剥離層は、前記隠蔽層を兼用していること、を特徴とする隠蔽部付きシートである。
請求項２の発明は、印字用基材と、前記印字用基材の裏面に剥離可能に配置され、透明性粘着剤層，透明性基材，擬似接着構造及び隠蔽基材が順に積層された隠蔽部と、を備え、前記印字用基材は、隠蔽領域を備え、前記隠蔽領域に対応する部分の少なくとも一部に隠蔽層を備えること、及び、前記印字用基材と前記隠蔽部との間に設けられ、前記隠蔽部を剥離可能にする剥離層を備え、その剥離層と前記印字用基材との間に前記隠蔽層を備えること、を特徴とする隠蔽部付きシートである。
請求項３の発明は、印字用基材と、前記印字用基材の裏面に剥離可能に配置され、透明性粘着剤層，透明性基材，擬似接着構造及び隠蔽基材が順に積層された隠蔽部と、を備え、前記印字用基材は、隠蔽領域を備え、前記隠蔽領域に対応する部分の少なくとも一部に隠蔽層を備えること、及び、前記印字用基材と前記隠蔽部との間に設けられ、前記隠蔽部を剥離可能にする剥離シートと、前記剥離シートと前記印字用基材とを貼り合わせる貼り合わせ層とを備え、前記貼り合わせ層は、前記隠蔽層を兼用していること、を特徴とする隠蔽部付きシートである。
請求項４の発明は、印字用基材と、前記印字用基材の裏面に剥離可能に配置され、透明性粘着剤層，透明性基材，擬似接着構造及び隠蔽基材が順に積層された隠蔽部と、を備え、前記印字用基材は、隠蔽領域を備え、前記隠蔽領域に対応する部分の少なくとも一部に隠蔽層を備えること、及び、前記印字用基材と前記隠蔽部との間に設けられ、前記隠蔽部を剥離可能にする剥離シートを備え、その剥離シートと前記印字用基材との間に前記隠蔽層を備えること、を特徴とする隠蔽部付きシートである。
請求項５の発明は、請求項３又は請求項４に記載の隠蔽部付きシートにおいて、前記剥離シートは、前記印字用基材に剥離可能に設けられていること、を特徴とする隠蔽部付きシートである。
請求項６の発明は、請求項１から請求項５までのいずれか１項に記載の隠蔽部付きシートにおいて、前記透明性粘着剤層は、その周縁部の一部又は全部に空所部を備えること、
を特徴とする隠蔽部付きシートである。
請求項７の発明は、請求項１から請求項６までのいずれか１項に記載の隠蔽部付きシートにおいて、前記隠蔽部は、その周縁部の一部又は全部に空所部を備えること、を特徴とする隠蔽部付きシートである。
請求項８の発明は、請求項１から請求項６までのいずれか１項に記載の隠蔽部付きシートにおいて、前記印字用基材は、隠蔽領域及び非隠蔽領域を備え、前記擬似接着構造及び前記隠蔽基材は、前記非隠蔽領域に対応する部分に空所部を備えること、を特徴とする隠蔽部付きシートである。
請求項９の発明は、請求項１から請求項６までのいずれか１項に記載の隠蔽部付きシートにおいて、前記印字用基材は、隠蔽領域及び非隠蔽領域を備え、前記隠蔽部は、前記隠蔽基材側から前記透明性基材を貫通しないように設けられ、前記隠蔽領域と前記非隠蔽領域とを区画するカット線を備えること、を特徴とする隠蔽部付きシートである。
【発明の効果】
【０００８】
本発明によれば、印字用基材の裏面に隠蔽部を配置しているので、様々な印字レイアウトに柔軟に対応できる。
また、シート自身に隠蔽部が内蔵されているため、隠蔽ラベルが余分に在庫したり管理に余計なコストがかかったりしない。
さらに、透明性基材で印字用基材の印字領域を保護する構造となるため、個人情報の保護とともに、証書などの場合には、偽造変造を防止することができる。
【発明を実施するための最良の形態】
【０００９】
本発明は、個人情報の保護を図りつつ、様々な印字レイアウトに柔軟に対応でき、コストも抑えた隠蔽部付きシートを提供するという目的を、印字用基材の裏面に、透明性粘着剤，透明性基材，擬似接着構造及び隠蔽基材が順に積層された隠蔽ラベルを配置することにより実現する。
【実施例１】
【００１０】
以下、図面等を参照して、本発明の実施例について、さらに詳しく説明する。
図１は、本発明による隠蔽部付きシートの実施例１を示す図である。
実施例１の隠蔽部付きシート１０は、隠蔽ラベル付き伝票であって、図１（Ａ）に示すように、印字用基材１１と、隠蔽ラベル（隠蔽部）１３などとを備える。
【００１１】
印字用基材１１は、表面に印字領域（隠蔽領域）１２を有し、裏面に剥離性を有する基材である。
また、印字用基材１１は、上質紙などの基材の裏面に剥離インキなどを塗布して剥離層を形成したものを用いてもよい。
【００１２】
隠蔽ラベル１３は、印字用基材１１の裏面に剥離可能に配置され、透明性粘着剤（透明性粘着剤層）１４，透明性基材１５，擬似接着構造（接着剤層／剥離層など）１６及び隠蔽基材１７が順に積層された積層ラベルである。
【００１３】
次に、実施例１による隠蔽部付きシート１０の使用方法について説明する。
まず、図１（Ａ）に示すように、隠蔽部付きシート１０を用意し、プリンタで印字領域１２に必要事項を印字する。
ついで、図１（Ｂ）に示すように、印字した印字用基材１１を剥がす。
さらに、図１（Ｃ）に示すように、印字用基材１１を反転させ、透明性粘着剤１４上に重ね、印字領域１２を隠蔽する。なお、説明の便宜上、図１（Ｄ）からは、表裏を逆にして図示してある。
そして、図１（Ｄ）に示すように、この状態で、生活者に隠蔽部付きシート１０を手渡す。この状態では、隠蔽基材１７で印字内容が不可視となるため、個人情報が保護されている。
生活者は、図１（Ｅ）に示すように、擬似接着構造１６部分で隠蔽基材１７を剥がし、図１（Ｆ）に示すように、透明性基材１５を透して印字内容を確認する。なお、擬似接着構造１６は、接着力や層構成を変更することによって、透明性基材１５側に残すことができ、このようにすれば、悪意のある追記を防止できる。
【００１４】
このように、実施例１によれば、以下のような効果がある。
（１）印字用基材１１の裏面に隠蔽ラベル１３を配置しているので、隠蔽ラベル１３が印字の妨げとなることはなく、様々な印字レイアウトに柔軟に対応できる。
（２）伝票自身に隠蔽ラベル１３が内蔵されているため、隠蔽ラベルが余分に在庫したり管理に余計なコストがかかったりしない。
【００１５】
（３）透明性基材１５で印字用基材１１の印字領域１２を保護する構造となるため、個人情報保護とともに、証書などの場合には、印字内容の改ざんが不可能となるため、偽造変造を防止することができる。
（４）取り扱う数量が多く、生命保険会社や損害保険会社などであらかじめ隠蔽してから代理店へ発送する場合は、機械貼りが必須となるが、代理店が間に入っていて１拠点の数量が限られる場合には、本実施例のような手作業で行える形態が最適である。
【実施例２】
【００１６】
図２は、本発明による隠蔽部付きシートの実施例２を示す図である。
なお、前述した実施例１と同様な機能を果たす部分には、同一の符号又は末尾に統一した符号を付して、重複する説明や図面を適宜省略する。
実施例２の隠蔽部付きシートは、隠蔽層を備えるものであり、２つのタイプがある。
【００１７】
１つ目は、図２（Ａ）に示すように、剥離層１８を用いたものである。
隠蔽部付きシート１０−２Ａは、印字用基材１１と隠蔽ラベル１３との間に、隠蔽ラベル１３を剥離可能にするための剥離層１８を備えている。
この場合には、例えば、剥離層１８に暗色系のインキなどを含有させて隠蔽層を兼用（隠蔽性を兼備）させたり、剥離層１８と印字用基材１１との間に地紋印刷などの隠蔽層を設けたりする。
【００１８】
２つ目は、図２（Ｂ）に示すように、剥離紙（剥離シート）１９を用いたものである。
隠蔽部付きシート１０−２Ｂは、印字用基材１１と隠蔽ラベル１３との間に、隠蔽ラベル１３を剥離可能にするための剥離紙１９と、剥離紙１９と印字用基材１１とを貼り合わせる糊（貼り合わせ層）２０とを備えている。
この場合には、例えば、糊２０に暗色系のインキなどを含有させて隠蔽層を兼用させたり、剥離紙１９と印字用基材１１との間に地紋印刷などの隠蔽層を設けたりする。
なお、いずれのタイプも、使用方法は、実施例１のものと同様である。
【００１９】
このように、実施例２によれば、印字用基材１１の裏面に隠蔽層を設けたので、印字用基材１１が薄い場合であっても、内面が見えにくく、セキュリティ性が向上する。
また、隠蔽部付きシート１０−２Ａによれば、隠蔽層を設けても、シンプルな層構成となり、低コスト化が図れる。
【００２０】
一方、隠蔽部付きシート１０−２Ｂによれば、隠蔽ラベル１３を剥がしても、剥離紙１９が存在しているため、隠蔽層が表出せず、意匠性に優れる。
また、糊２０を剥離可能なものにして、印字用基材１１から剥離紙１９を剥がせるように構成しておき、印字用基材１１の裏面に必要事項を印刷しておけば、スペースの有効利用が図れる。
さらに、透明性基材１５／透明性粘着剤１４／剥離紙１９の構成を汎用化できるため、透明タック紙を用いるなどして資材調達を安定化させることができ、ＬＢＰ（レーザービームプリンタ）用、ＮＩＰ（ノンインパクトプリンタ）用、ＩＪＰ（インクジェットプリンタ）用といった用途別に用紙を用意しておく必要がない。
【００２１】
（変形例）
以上説明した実施例に限定されることなく、種々の変形や変更が可能であって、それらも本発明の均等の範囲内である。
図３は、本発明による隠蔽部付きシートの変形例を示す図である（隠蔽部付きシート１０−３〜１０−６）。
例えば、図３（Ａ）に示すように、透明性粘着剤１４の周縁部を糊抜き加工して空所部（図中Ａ部分）を設けてもよく、また、図３（Ｂ）に示すように、隠蔽ラベル１３の周縁部を粕上げ加工して空所部（図中Ｂ部分）を設けてもよい。
このようにすれば、印字用基材１１を反転させて印字領域１２を隠蔽する際に、透明性粘着剤１４のはみ出しを防止することができる。
【００２２】
また、図３（Ｃ）に示すように、印字用基材１１が、隠蔽領域１２ａ及び非隠蔽領域１２ｂを備える場合には、擬似接着構造１６及び隠蔽基材１７の非隠蔽領域１２ｂに対応する部分を粕上げ加工して空所部（図中Ｃ部分）を設けてもよい。
このようにすれば、印字用基材１１を反転させて隠蔽領域１２ａを隠蔽した後に、この空所部分で、宛名などの一部情報が判読でき、使い勝手がよくなる。
【００２３】
さらに、図３（Ｄ）に示すように、隠蔽ラベル１３に対して、隠蔽基材１７側から透明性基材１５を貫通しないように、かつ、隠蔽領域１２ａと非隠蔽領域１２ｂとを区画するハーフカット（カット線）ｈｃを設けるようにしてもよい。
このようにすれば、印字用基材１１を反転させて印字領域１２を隠蔽した後に、必要に応じて非隠蔽領域１２ｂに対応する部分（図中Ｄ部分）を剥がし、宛名などの一部情報を判読可能にすることができ、使用時の自由度が高まる。
なお、上述した各変形例は、実施例１にも、実施例２にも適用することができる。
【００２４】
また、印字用基材１１は、１枚の例で説明したが、複数の印字用基材を綴じ合わせ、最終枚目の裏面に隠蔽ラベルを配置するようにしてもよい。
さらに、実施例２において、隠蔽層は、印字領域（隠蔽領域）に対応する部分のみに設けるようにして、製造コストを抑えてもよい。
【図面の簡単な説明】
【００２５】
【図１】本発明による隠蔽部付きシートの実施例１を示す図である。
【図２】本発明による隠蔽部付きシートの実施例２を示す図である。
【図３】本発明による隠蔽部付きシートの変形例を示す図である。
【符号の説明】
【００２６】
１０、１０−２Ａ、１０−２Ｂ、１０−３〜１０−６、  隠蔽部付きシート
１１  印字用基材
１２  印字領域（隠蔽領域）
１２ａ  隠蔽領域
１２ｂ  非隠蔽領域
１３  隠蔽ラベル（隠蔽部）
１４  透明性粘着剤（透明性粘着剤層）
１５  透明性基材
１６  擬似接着構造
１７  隠蔽基材
１８  剥離層
１９  剥離紙（剥離シート）
２０  糊（貼り合わせ層）
ｈｃ  ハーフカット（カット線）
【図１】
0004657827.tif 000002
【図２】
0004657827.tif 000003
【図３】
0004657827.tif 000004